(57)【要約】【課題】従来のマスクは、着用した時、長い時間着けていたら耳が痛くなったり又一時的に外した場合耳から外れたり、紛失したり、さらに首からだけのサポートの場合マスク本体が鼻からズレ落ちたりとマスクが顔に上手くフイットしなかったりと苦慮してきました。本発明はこれらの欠点をなくす為に、全てのマスク使用者に対し対応され、なされたマスクを提供する。【解決手段】従来のマスクは、耳が痛くなったり、紛失したり又取り付けヒモが首からだけの保持の為マスクと顔とのフイット感があまり良くありませんでした。取り付けヒモをマスク本体の上側左右と下側左右の各々耳を境にして、後頭部と首周りの両方で保持する事で、マスクの落下、紛失とかズレ防止に効果が有り、又耳が痛くなく手軽に使用出来る様になった。さらに又マスク本体と取り付けヒモを脱着式にする事で、各々の製品がオーダーメイドで制作出来、その結果マスクが顔と上手くフイットし、マスクが顔の一部として、鬱陶しくなく利用出来る様になった。【選択図】図２
2016176167.tif 000002
【特許請求の範囲】
【請求項１】
（イ）顔の口、鼻を塞ぐ、マスク本体とこれを繋ぐヒモの取り付け位置を既存のマスクのように、マスク本体の左右端の上下に取り付け、これを左右の耳に装着する方式ではなく、マスク本体の上側左右と下側左右を各々ヒモで結ぶ方式としたものであり、上側のヒモはマスク本体上部の左又は右側の位置より、耳上経由、後頭部を周り、反対側のマスク本体へ取付、下側のヒモは、マスク本体下部の左又は右側の位置より、耳下を経由、首の後ろ側を周り、反対側のマスク本体へ結んで取り合う方式とする。
（ロ）マスク本体とこれを繋ぐヒモとの取合については、マスク本体の上側左右端と下側左右端に直接取り合う方法とマスク本体の上下の左端部分と右端部分に一対のヒモを通して繋ぎ、これに上側の左右端と下側の左右端のヒモを連結して、ヒモを１本化した仕様を固定式方式とする。
（ハ）スナップボタン、ワンタッチボタン、ワンタッチテープ、ラバーテープ、クラフト含む脱着器具等をマスク本体やこれを繋ぐヒモに各々取り付けて、マスク本体と各ヒモが各々分離脱着できる仕様とマスク本体の上下の左端部分と右端部分に一対のヒモを通して繋ぎ、このヒモ上下左右の４ヶ所の先端に脱着器具等取り付け使用する場合又は上側あるいは下側のヒモが、一対の通しヒモとの連結の利便性等様子によっては、２ヶ所又は一ヶ所の先端に脱着器具等設置し、この器具の無いところは、請求項（ロ）の固定式として、何時でも簡単に脱着が出来るようにした仕様を脱着式方式とする。又これらの部材の構造仕様、形状、材質、大きさ、長さ、色彩、繋ぎ位置、取り付け位置等これらについては限定しない。
（ニ）マスク本体と左右端に設ける上下の通しヒモとの取り合い仕様等これらについては限定しない。又マスク本体や繋ぎヒモ及び一対の通しヒモ又これらに設ける脱着器具等の取り付け面につき表裏側とか位置場所等については、限定しない。
（ホ）マスク本体とヒモは第三者に意思表示の伝達及び商品価値等をＵＰする為に、ロゴマーク、ロゴタイプ等の表示の掲示も出来るマスクであり、又蛍光化することで、暗い環境の中で着用した場合マスクで第三者に、色々な伝達が出来るようにされたマスクである。
又これらの部材の仕様、形状、材質、大きさ、長さ、色彩、掲示位置等については、限定しない。又ロゴマーク、ロゴタイプ等について表現方法、内容等限定しない。
（ヘ）ヒモ部材本体とヒモ部材の調整器具及び脱着式器具の取り付け位置、方向、個数、併用等又器具等の構造仕様、形状、材質、大きさ、長さ、色彩、繋ぎ位置、色彩等これらについては限定しない。
（ト）固定式方式と脱着式方式の併用、組み合わせも又脱着式器具同志の併用組み合わせ等限定しない。
【発明の詳細な説明】
【技術分野】
【０００１】この発明は、マスク本体とこれを顔の口、鼻に取り付けする為なされたヒモとの固定式又はマスク本体とヒモが各々分離された脱着式マスク装置である。
【背景技術】
【０００２】従来マスクは、仕様、大きさ、形状、材質、デザイン、色彩等々多岐に渡って千差万別数多くありました。
【発明が解決しようとする課題】
【０００３】これは次のような欠点があった。
例えば、マスクを使用している人の場合、両耳に掛けて使用していますが、マスクを一時的に口、鼻から外す場合顎の下にズラしています。こんな場合マスクが耳から両方又は片方が外れたり、又頭部からかぶり物を着脱した場合同様な事が発生し、マスクが外れたり、所在不明になったり又長時間耳に掛けていると耳が痛くなってきます。又首にヒモを周して、マスク本体と器具等で維持しているタイプの場合通常鼻と首の立体的な位置関係には、無理な面もあり、どうしてもマスク本体が下に引っ張られ鼻部分が下にズレやすくなります。又首からの維持の為には、マスク本体と首周り取り付けヒモとの接続器具等が必要であり、人によっては、どうしても手間取ってしまう場合がある。本発明はこれらの欠点をなくす為に、マスク本体と取り付けヒモを固定又は脱着方式とし、耳上と耳下の各々に一対のヒモを設置し、マスク本体を維持する仕様方式として、対応する事によってなされたマスクである。
【課題を解決する為の手段】
【０００４】マスクのヒモを耳上と耳下に配置した状態で利用し、マスクを一時的に外す時は、耳上のヒモをワンタッチで耳下に操作することで又着用する時は何時でも、必要な時に瞬時に利用できる用にされたマスクである。このマスクは全てのマスクに対応可能である。
【発明の効果】
【０００５】マスクを着用したい場合、面倒なくほとんど、手間かからず即着用又マスクを着用した状態で、頭の上から、かぶり物をしても、一時外しをしても、常にマスクが首に設置してあるので、失くなる心配がなく便利である。
マスク本体の左右の上側と下側の４ヶ所を点あるいは一対の通しヒモにて、これらを後頭部と首周りの２つのヒモで維持しているので、無理なくマスク保持ができる。又マスク本体と取り付けヒモを分離脱着方式とした場合各々が別々に制作出来無駄が無くなり、取り付けヒモ等は何回もリサイクル可能の為費用の面でも安価になり又簡単に各々採寸して、制作する事によって、老若男女性別年齢関係なく各人にマッチしたフイットされたオーダメイドのマスク本体と取り付けヒモのあらゆる選択肢が出来ます。今後マスクの必要性は、季節を問わず、地球環境を考慮した場合手放せなく成って来ています。
後頭部のヒモを髪色と同色にする事で又ヒモを髪の毛の下に通すことで、首周りのヒモは、シャツ等に隠れるから、外面からマスク着用している人を観た場合マスク本体のみが顔に取り付いている様にしか見えないし、着用脱着状態においても違和感なくスムーズであり、顔の一部として、必要不可欠な品物として、各人に適していると思われます。
【発明を実地する為の最良の形態】
【０００６】以下。本発明を実地する為の最良の形態について説明する。
マスクを着用する場合は上側のヒモは、耳の上部から後頭部周り、下側のヒモは、耳の下部から首周りに配置した状態で利用し、マスクを一時的に外す時は、耳上のヒモをワンタッチで耳下の首周りに操作することで、耳に負担なくマスクを失くす事なく保持が可能である。
【図面の簡単な説明】
【０００７】
【図１】  本発明の平面図と立面図、側面図である。
【図２】  本発明のあいそめ図である。
【符号の説明】
【０００８】１    マスク本体
２    上側の繋ぎヒモ
３    下側の繋ぎヒモ
４    マスク本体の上下の左端部と右端部分の通しヒモ
５    脱着器具（マスク本体、取付けヒモ、通しヒモに取付けあるいは、単独取付け）
６    ヒモ部材の調整器具
【図１】
2016176167.tif 000003
【図２】
2016176167.tif 000004